(57)【要約】【課題】平坦度の高いスクリーン本体を備えたスクリーンを提供する。【解決手段】スクリーン１は、可撓性を有し、画像光が投影されるスクリーン本体２と、スクリーン本体２の対向する端部に沿ってそれぞれ延出し、その端部をそれぞれ保持する上保持部３および下保持部４と、対向する端部に交差する交差端部に沿い、上保持部３および下保持部４の両側縁端部にそれぞれ連結される一対の第２保持部５と、を備え、第２保持部５は、交差端部を保持し、上保持部３および下保持部４が近接離間するように屈伸可能に連結される複数のリンク部７を有していることを特徴とする。【選択図】図１
2010139680.tif 000002
【特許請求の範囲】
【請求項１】
可撓性を有し、画像光が投影されるスクリーン本体と、
前記スクリーン本体の対向する端部に沿ってそれぞれ延出し、前記端部をそれぞれ保持
する一対の第１保持部と、
前記対向する端部に交差する交差端部に沿って配置され、前記一対の第１保持部の両側
縁端部にそれぞれ連結される一対の第２保持部と、
を備え、
前記第２保持部は、前記交差端部を保持し、前記一対の第１保持部が近接離間するよう
に屈伸可能に連結される複数のリンク部を有していることを特徴とするスクリーン。
【請求項２】
請求項１に記載のスクリーンであって、
前記リンク部は、前記交差端部を保持するための接合部を有し、
前記接合部は、前記スクリーン本体の展張された状態における投影面に沿い、前記投影
面の背面が接合される接合面を有していることを特徴とするスクリーン。
【請求項３】
請求項１または請求項２に記載のスクリーンであって、
前記リンク部は、前記スクリーン本体が展張された際に、隣接する前記リンク部と当接
し、前記第２保持部のそれ以上の伸長を規制する当接部を有していることを特徴とするス
クリーン。
【請求項４】
請求項１〜請求項３のいずれか一項に記載のスクリーンであって、
前記第２保持部は、前記リンク部を屈伸可能に連結する関節部を備え、
前記リンク部は、前記スクリーン本体が展張された状態において、隣接する前記関節部
の中心を結ぶ線が前記投影面に対して所定の方向に傾斜するように連結されていることを
特徴とするスクリーン。
【請求項５】
請求項１〜請求項４のいずれか一項に記載のスクリーンであって、
前記第１保持部に対して略平行に延出し、前記一対の第２保持部の間に架設される架設
部を有していることを特徴とするスクリーン。
【請求項６】
請求項５に記載のスクリーンであって、
前記架設部は、前記接合部で形成されていることを特徴とするスクリーン。
【発明の詳細な説明】
【技術分野】
【０００１】
本発明は、スクリーンに関する。
【背景技術】
【０００２】
従来、画像光が投影されることにより画像を表示するスクリーンが知られている。スク
リーンには、この画像光が投影されるスクリーン本体が備えられている。そして、このス
クリーンを容易に持ち運ぶことができるように、可撓性を有するシート状のスクリーン本
体を用い、このスクリーン本体を巻き取ることができるように構成されたスクリーンが提
案されている（例えば、特許文献１参照）。
【０００３】
特許文献１に記載のスクリーン（可般式スクリーン）は、スクリーン本体（スクリーン
）、トップバー、スプリングロール、下部ケーシング、スプリング、および昇降機構（パ
ンタグラフ式伸縮手段）を備え、床等の設置面に載置されて画像光が投影されるように構
成されている。
スクリーン本体は、上端部がトップバーに取り付けられ、下端部がスプリングロールに
取り付けられている。スプリングロールは、下部ケーシングに取り付けられている。そし
て、スクリーン本体は、スプリングロールに取り付けられたスプリングのバネ力によって
スプリングロールに巻き取られ、下部ケーシングに収納されるようになっている。昇降機
構は、複数のアームが連結されて上下方向に伸縮可能に構成されており、上側がトップバ
ーの中間部に取り付けられ、下側が下部ケーシングに取り付けられている。そして、トッ
プバーが上下方向に移動されと、昇降機構が伸縮し、スクリーン本体は、それに連動した
位置で展張される。
【０００４】
【特許文献１】特開２０００−１３１７６６号公報
【発明の開示】
【発明が解決しようとする課題】
【０００５】
しかしながら、特許文献１に記載の技術は、スクリーン本体の上端部および下端部がそ
れぞれ保持されてはいるものの、側端部が保持されていないため、歪んだり、外部からの
風等によって波うったりする恐れがある。そして、スクリーン本体が歪んだり、波うった
りすると、スクリーン本体に表示される画像が歪むという課題がある。
【課題を解決するための手段】
【０００６】
本発明は、上述の課題の少なくとも一部を解決するためになされたものであり、以下の
形態または適用例として実現することが可能である。
【０００７】
［適用例１］本適用例に係るスクリーンは、可撓性を有し、画像光が投影されるスクリ
ーン本体と、前記スクリーン本体の対向する端部に沿ってそれぞれ延出し、前記端部をそ
れぞれ保持する一対の第１保持部と、前記対向する端部に交差する交差端部に沿って配置
され、前記一対の第１保持部の両側縁端部にそれぞれ連結される一対の第２保持部と、を
備え、前記第２保持部は、前記交差端部を保持し、前記一対の第１保持部が近接離間する
ように屈伸可能に連結される複数のリンク部を有していることを特徴とする。
【０００８】
この構成によれば、スクリーン本体は、例えば、上下の端部が第１保持部に保持され、
左右の端部が第２保持部のリンク部に保持されている。第１保持部は、上下の端部に沿っ
てそれぞれ延出しているので、スクリーン本体の上下端部の投影面は、それぞれが平坦に
保持されることが可能となる。リンク部は、一対の第１保持部が近接離間するように屈伸
可能に連結されているので、第２保持部は、リンク部の屈伸に応じて伸縮され、スクリー
ン本体の左右端部の投影面は、曲げられたり、平坦に保持されたりすることが可能となる
。
これによって、スクリーン本体は、第２保持部が伸長された際には、上下左右端部の投
影面が平坦に保持されることが可能となり、投影面の全面が高い平坦度を有して展張され
ることが可能となる。したがって、スクリーン本体は、歪みが抑制された品質の良好な画
像光の投影が可能となる。また、スクリーンは、第２保持部が短縮された際には、一対の
第１保持部が近接し、スクリーン本体が折り畳まれるようにコンパクトな状態が可能とな
るので、可搬性の向上が図れる。
【０００９】
［適用例２］上記適用例に係るスクリーンにおいて、前記リンク部は、前記交差端部を
保持するための接合部を有し、前記接合部は、前記スクリーン本体の展張された状態にお
ける投影面に沿い、前記投影面の背面が接合される接合面を有していることが好ましい。
【００１０】
この構成によれば、スクリーン本体は、交差端部の背面が接合面に接合されているので
、リンク部の屈伸に追従して適正に展張されたり、折り畳まれたりすることが可能となり
、皺や傷等が抑制される。また、平面度の高い投影面に沿うように接合面を形成すること
で、スクリーン本体は、さらに高い平坦度を有して展張されることが可能となる。
【００１１】
［適用例３］上記適用例に係るスクリーンにおいて、前記リンク部は、前記スクリーン
本体が展張された際に、隣接する前記リンク部と当接し、前記第２保持部のそれ以上の伸
長を規制する当接部を有していることが好ましい。
【００１２】
この構成によれば、第２保持部は、スクリーン本体が展張された際に、リンク部の当接
部が隣接するリンク部に当接し、第２保持部のそれ以上の伸長が規制される。これによっ
て、展張されたスクリーン本体には、必要以上に張力が加わることが抑制され、スクリー
ン本体は、うねりや皺等が抑制されると共に、長期信頼性を確保することが可能となる。
【００１３】
［適用例４］上記適用例に係るスクリーンにおいて、前記第２保持部は、前記リンク部
を屈伸可能に連結する関節部を備え、前記リンク部は、前記スクリーン本体が展張された
状態において、隣接する前記関節部の中心を結ぶ線が前記投影面に対して所定の方向に傾
斜するように連結されていることが好ましい。
【００１４】
この構成によれば、スクリーン本体が展張された状態において、隣接する関節部の中心
を結ぶ線は、投影面に対して所定の方向に傾斜している。これによって、リンク部は、一
対の第１保持部が近接される方向、つまり投影面に沿う方向への力に対して、突っ張るこ
となく所定の方向に屈曲される。つまり、スクリーンが収納される際、第２保持部は、そ
れぞれのリンク部が突っ張ることなく所定の方向に屈曲されて短縮されるので、スクリー
ン本体は、捩れたり、所定の方向と反対側に屈曲されたりすることが防止され、皺や傷等
が抑制される。
【００１５】
［適用例５］上記適用例に係るスクリーンにおいて、前記第１保持部に対して略平行に
延出し、前記一対の第２保持部の間に架設される架設部を有していることが好ましい。
【００１６】
この構成によれば、スクリーン本体の交差端部、例えば左右の端部を保持している一対
の第２保持部の間に架設される架設部を有しているので、一対の第２保持部は、互いに近
接する方向に傾斜することが抑制され、さらにスクリーン本体の平面度を高めることが可
能となる。
【００１７】
［適用例６］上記適用例に係るスクリーンにおいて、前記架設部は、前記接合部で形成
されていることが好ましい。
【００１８】
この構成によれば、架設部は、リンク部に設けられた接合部で形成されているので、他
の部材で構成する場合に比べて、一対の第２保持部の距離の精度を高めることができる。
これによって、スクリーン本体の平面度の向上がさらに図れる。
【発明を実施するための最良の形態】
【００１９】
（第１実施形態）
以下、第１実施形態に係るスクリーンについて、図面を参照して説明する。
本実施形態のスクリーンは、プロジェクタ等から投写された画像光が投影されるスクリ
ーン本体を備えており、そのスクリーン本体が折り畳まれて収納できるように構成されて
いる。以下、スクリーン本体が折り畳まれた状態を「収納状態」という。そして、本実施
形態のスクリーンは、床等の設置面に載置され、折り畳まれていたスクリーン本体が展張
されて投影面が平坦な状態（以下「展張状態」という）となり画像光が投影される。
【００２０】
図１〜図３は、本実施形態のスクリーンを模式的に示す図である。具体的に、図１は、
展張状態のスクリーンを投影面側から見た斜視図である。図２は、図１に示すスクリーン
を投影面の反対側から見た斜視図である。図３は、収納状態のスクリーンを示す横断面図
である。なお、以下では、説明の便宜上、投影面側を前面、投影面と反対側を背面とし、
前面側から見て、右を「右」、左を「左」、上を「上」、下を「下」として記載する。
【００２１】
図１〜図３に示すように、スクリーン１は、スクリーン本体２、第１保持部としての上
保持部３および下保持部４、第２保持部５、スクリーン支持部６を備えている。
スクリーン本体２は、可撓性を有し、図１に示すように、外形が略矩形のシート状に形
成され、前方から投写された画像光を投影面２Ａにて反射して画像を表示する反射型とし
て構成されている。
【００２２】
上保持部３は、スクリーン本体２の上端部を保持するように構成されている。具体的に
、上保持部３は、図２に示すように、支柱部３１、上固定部３２および突出部３３を有し
、左右対称に形成されている。
【００２３】
図４は、スクリーン１の左側上部を模式的に示す図であり、図１におけるスクリーン本
体２を省略し、上保持部３を第２保持部５から分解した斜視図である。
支柱部３１は、図１、図４に示すように、円柱状に形成され、スクリーン本体２の上端
部に沿って延出している。上固定部３２は、支柱部３１の外周面から下方に突出する板状
に形成され、スクリーン本体２の上端部の背面に沿って延出している。スクリーン本体２
は、図２に示すように、上端部の背面が上固定部３２の前面側に粘着材を介して接合され
、投影面２Ａの上端部が平坦に保持されている。
【００２４】
突出部３３は、直方体状に形成され、上固定部３２の左右両側端部から下方に向かって
突出している。そして、突出部３３の下方端部には、第２保持部５に連結されるリング状
の上連結部３３１が設けられている。上連結部３３１には、左右方向に貫通する丸孔３３
１Ａが形成されている。
【００２５】
下保持部４は、スクリーン本体２の下端部を保持すると共に、スクリーン１全体を支持
するように構成されており、スクリーン１が設置された際に、下面が設置面に当接する。
具体的に、下保持部４は、図１、図２に示すように、ベース部４１、下固定部４２およ
び下連結部４３を有し、左右対称に形成されている。
【００２６】
図５は、スクリーン１の左側下部を模式的に示す図であり、図１におけるスクリーン本
体２を省略し、第２保持部５を下保持部４から分解した斜視図である。
ベース部４１は、図１、図５に示すように、矩形板状に形成され、スクリーン本体２の
下端部に沿って延出している。
下固定部４２は、ベース部４１から上方に向かって板状に突出し、スクリーン本体２の
下端部の背面に沿って延出している。スクリーン本体２は、図２に示すように、下端部の
背面がこの下固定部４２の前面側に粘着材を介して接合され、投影面２Ａの下端部が平坦
に保持されている。
このように、スクリーン本体２は、対向する一対の端部が第１保持部としての上保持部
３および下保持部４に保持されている。
【００２７】
下連結部４３は、第２保持部５が連結される部位であり、下固定部４２の左右両端にそ
れぞれ設けられている。下連結部４３は、図５に示すように、ベース部４１から上方に向
かって突出し、前後方向に貫通する溝部４３Ａが設けられ、左右方向に貫通する丸孔４３
Ｂが形成されている。
【００２８】
第２保持部５について詳細に説明する。
第２保持部５は、スクリーン本体２の上端部および下端部に交差する交差端部、つまり
スクリーン本体２の左端部および右端部を保持すると共に、上保持部３と下保持部４とが
近接離間するように伸縮可能に構成されている。
第２保持部５は、一対設けられ、スクリーン本体２の左端部に沿い、上保持部３および
下保持部４の左側縁端部に連結される第２保持部５Ｌと、スクリーン本体２の右端部に沿
い、上保持部３および下保持部４の右側縁端部に連結される第２保持部５Ｒとを有してい
る。
【００２９】
第２保持部５Ｌ，５Ｒは、図１に示すように、複数のリンク部７が関節部８を介してそ
れぞれスクリーン本体２の左右の端部に沿って連結され、左右対称に構成されている。各
リンク部７は、それぞれのスクリーン本体２の端部を保持するように構成され、第２保持
部５Ｌ，５Ｒは、各リンク部７が関節部８を介して屈伸されることによって上下方向に伸
縮される。
【００３０】
ここで、第２保持部５Ｌについてさらに詳細に説明する。
図６は、第２保持部５Ｌを模式的に示す図であり、展張状態における第２保持部５Ｌの
一部を右側から見た側面図である。図７は、リンク部７を模式的に示す斜視図である。
リンク部７は、ガラス繊維入りのＰＣ（polycarbonate）等で形成され、図６、図７に
示すように、本体部７１、第１連結部７２、および第２連結部７３を有している。
【００３１】
本体部７１は、直方体状に形成され、１つの側面の中央部には、右方向に向けて突出す
る板状の突起（接合部７１１）が形成されている。
接合部７１１は、スクリーン本体２の左端部を保持するための部位であり、図６に示す
ように、展張状態における平面度の高い投影面２Ａに沿うように形成された接合面７１１
Ａを有している。スクリーン本体２は、左端部の背面がこの接合面７１１Ａに粘着材を介
して接合されている。
また、図７に示すように、本体部７１には、一方の端部に角状の当接部７１２が形成さ
れ、他方の端部に当接部７１２に対して対角に位置する角状の当接部７１３が形成されて
いる。
【００３２】
第１連結部７２は、図７に示すようにリング状に２つ形成され、当接部７１２に隣接し
て設けられている。そして、この２つの第１連結部７２は、所定の距離離間し、左右方向
に貫通する同心の丸孔７２Ａが設けられている。
第２連結部７３は、当接部７１３に隣接してリング状に１つ形成されており、第１連結
部７２と同様に、左右方向に貫通する丸孔７３Ａが形成されている。
【００３３】
図８は、リンク部７および関節部８を模式的に示す断面図である。
関節部８は、図８に示すように、円柱状に形成され、リンク部７の厚みと同程度の長さ
を有している。関節部８の外径および丸孔７２Ａ，７３Ａのそれぞれの内径は、関節部８
が丸孔７２Ａに対して圧入され、丸孔７３Ａに対しては、遊貫されるように設定されてい
る。それぞれのリンク部７は、図８に示すように、２つの第１連結部７２の間に第２連結
部７３が配置され、丸孔７２Ａ，７３Ａに関節部８が挿入されて連結される。
そして、それぞれのリンク部７は、関節部８を中心に回転されることで隣接するリンク
部７同士が開脚と閉脚とが可能になっている。つまり、それぞれのリンク部７は、関節部
８によって屈伸可能に連結されている。
【００３４】
ここで、第２保持部５Ｌの動作について説明する。
図９は、第２保持部５Ｌの動作を説明するための模式図である。具体的に、図９は、展
張状態における第２保持部５Ｌの一部を右側から見た側面図である。なお、図９は説明の
便宜上、リンク部７の形状を簡略化している。
第２保持部５Ｌは、図９に示すように、展張状態（図９において実線で示す）において
上方から下方に力が加えられると、それぞれのリンク部７は、関節部８を中心に、隣接す
るリンク部７同士が閉脚する方向に回転する。そして、第２保持部５Ｌは、上方に位置す
るリンク部７程大きく下方に移動し（図９において二点鎖線で示す）、上下方向における
長さが短縮される。そして、各リンク部７が互いに対向する面が当接する状態まで閉脚さ
れると、スクリーン１は、収納状態となる。
【００３５】
一方、第２保持部５Ｌは、収納状態から伸長される方向に力が加えられると、それぞれ
のリンク部７は、関節部８を中心に、隣接するリンク部７同士が開脚する方向に回転する
。そして、第２保持部５Ｌは、上方に位置するリンク部７程大きく上方に移動して上下方
向に伸長される。そして、各リンク部７は、当接部７１２と当接部７１３とが当接する状
態まで開脚されると、第２保持部５Ｌは、これ以上の伸長が規制され、各リンク部７のそ
れぞれの接合面７１１Ａは、１つの平坦面上に位置するように揃えられる。そして、スク
リーン１は、展張状態となる。
このように、第２保持部５Ｌは、各リンク部７が屈伸されることによって伸縮する。
【００３６】
また、それぞれのリンク部７は、回転される方向と交差する方向に対してがたつきが抑
えられるように連結されている。そして、第２保持部５Ｌは、展張状態において、左右方
向に湾曲したり、捩れたりすることが抑制されるようになっている。そして、第２保持部
５Ｌは、展張状態において、投影面２Ａの左端部を平坦に保持することが可能になってい
る。
【００３７】
また、第２保持部５Ｌは、展張状態において、各リンク部７が所定の方向に傾斜して連
結されている。具体的に、複数の関節部８のうち図９における１つの関節部８Ａに注目し
て説明する。
図９に示すように、関節部８Ａは、関節部８Ａに隣接する上方の関節部８Ｂより背面側
に位置している。つまり、関節部８Ａの中心と関節部８Ｂの中心とを結ぶ線（関節部中心
線Ｌ１）は、投影面２Ａに対して傾斜角θ１を有して前傾している。同様に、関節部８Ａ
は、関節部８Ａに隣接する下方の関節部８Ｃより背面側に位置している。そして、関節部
８Ａの中心と関節部８Ｃの中心とを結ぶ線（関節部中心線Ｌ２）は、投影面２Ａに対して
傾斜角θ２を有して後傾している。各リンク部７は、交互に傾斜角θ１，θ２を有して連
結されている。
【００３８】
このように、リンク部７は、展張状態において、隣接する関節部８の中心を結ぶ関節部
中心線Ｌ１，Ｌ２が投影面２Ａに対して所定の方向に傾斜するように連結されている。
そして、各リンク部７は、上下方向、つまり投影面２Ａに沿う方向の力に対して、関節
部８を中心として突っ張ることなく所定の方向に回転される。つまり、第２保持部５は、
スクリーンが収納される際、滑らかに所定の方向に屈曲される。
【００３９】
次に、第２保持部５Ｌが上保持部３および下保持部４に連結されている構成について説
明する。
第２保持部５Ｌは、上保持部３および下保持部４の左側縁端部にそれぞれ連結される。
具体的に、第２保持部５Ｌは、図４に示すように、２つの第１連結部７２の間に上保持部
３の上連結部３３１が配置され、丸孔３３１Ａ，７２Ａに関節部８（図８参照）が挿入さ
れて上保持部３に連結される。そして、上保持部３は、関節部８を中心に回転することが
可能になっている。
【００４０】
同様に、第２保持部５Ｌは、図５に示すように、第２連結部７３が溝部４３Ａの間に配
置され、丸孔４３Ｂ，７３Ａに関節部８（図８参照）が挿入されて下保持部４に連結され
ている。そして、第２保持部５Ｌは、関節部８を中心に回転することが可能になっている
。
このように、第２保持部５Ｌは、上保持部３および下保持部４の左側縁端部に連結され
ている。
【００４１】
第２保持部５Ｒは、詳細な説明は省略するが、前述したように、第２保持部５Ｌに対し
て左右対称に構成されている。具体的に、第２保持部５Ｒは、第２保持部５Ｌのリンク部
７と対向するように配置されたリンク部７が関節部８を介してスクリーン本体２の右端部
に沿って連結され、上保持部３および下保持部４の右側縁端部に連結されている。各リン
ク部７は、スクリーン本体２の右端部を保持している。そして、第２保持部５Ｒは、各リ
ンク部７が屈伸されることによって伸縮する。
【００４２】
スクリーン支持部６について説明する。
スクリーン支持部６は、上下方向に伸縮可能に構成されており、下保持部４に対する上
保持部３の離間する位置を変えてスクリーン１の収納状態および展張状態を保持する。
スクリーン支持部６は、図２、図３に示すように、異なる径の筒状部材を複数有してお
り、大きな径の筒状部材に小さな径の筒状部材が挿通され、小さな径の筒状部材が摺動さ
れることによって伸縮するロッド機構として構成されている。
【００４３】
スクリーン支持部６は、最も大きな径の筒状部材６１、および最も小さな径の筒状部を
有する支持部６２等を備え、スクリーン本体２の背面側に配置されている。そして、スク
リーン支持部６は、筒状部材６１が下保持部４に固定され、支持部６２が上保持部３に係
合されている。
具体的に、筒状部材６１は、図２、図３に示すように、ベース部４１の左右方向におけ
る略中央に固定されている。
支持部６２は、上部に前面側に突出する突起部６３が設けられており、さらに突起部６
３の先端には、リング状に形成された係合部６４が設けられている。
係合部６４は、左右方向に貫通する孔が形成されており、この孔に上保持部３の支柱部
３１が回転可能に挿入されている。
【００４４】
そして、スクリーン支持部６は、スクリーン１の収納状態および展張状態が可能な長さ
に収縮できるよう設定されており、それぞれの筒状部材が摺動されることによって、支持
部６２に係合された上保持部３の位置が変更されて収納状態と展張状態とが切り換えられ
る。
具体的に、スクリーン支持部６は、収納状態（図３参照）において、支持部６２が引き
上げられと伸長され、第２保持部５Ｌ，５Ｒは、スクリーン支持部６に追従して伸長され
る。そして、第２保持部５Ｌ，５Ｒは、各リンク部７の当接部７１２，７１３が互いに当
接するまでが伸長されると、上保持部３と下保持部４とが所定の距離を隔てて離間し、ス
クリーン１は、スクリーン本体２の上下左右の端部がそれぞれ平坦に保持されて展張状態
（図１参照）となる。
【００４５】
スクリーン支持部６は、展張状態において、支持部６２が押し下げられと、短縮され、
第２保持部５Ｌ，５Ｒは、スクリーン支持部６に追従して短縮される。そして、第２保持
部５Ｌ，５Ｒは、各リンク部７が互いに当接するまで短縮されると、上保持部３と下保持
部４とが近接し、スクリーン１は、スクリーン本体２が蛇腹状に折り畳まれ、収納状態と
なる。
【００４６】
以上説明したように、本実施形態のスクリーン１によれば、以下の効果を得ることがで
きる。
（１）スクリーン本体２は、展張状態において、投影面の上下左右の端部が平坦に保持
されるので、投影面の全面が高い平坦度を有して展張されることが可能となる。したがっ
て、スクリーン本体２は、歪みが抑制された品質の良好な画像光の投影が可能となる。ま
た、スクリーン本体２は、エアコンからの風等に対しても揺動が抑制されるので、投写さ
れる画像の品質を安定して確保することが可能となる。
また、スクリーン１は、収納状態において、上保持部３と下保持部４とが近接し、スク
リーン本体２が折り畳まれてコンパクトな状態になるので、可搬性の向上や省スペースで
の収納が図れる。
【００４７】
（２）スクリーン本体２は、左右端部の背面が接合面７１１Ａに接合されているので、
リンク部７の屈伸に追従して適正に展張されたり、折り畳まれたりすることが可能となり
、皺や傷等が抑制される。また、接合面７１１Ａは、平面度の高い投影面２Ａに沿うよう
に形成されているので、スクリーン本体２は、さらに高い平坦度を有して展張されること
が可能となる。
【００４８】
（３）第２保持部５は、展張状態において、当接部７１２，７１３が互いに当接し、そ
れ以上の伸長が規制されるので、展張されたスクリーン本体２には、必要以上に張力が加
わることが抑制され、スクリーン本体２は、うねりや皺等が抑制されると共に、長期信頼
性を確保することが可能となる。
【００４９】
（４）第２保持部５は、展張状態において、関節部中心線Ｌ１，Ｌ２が投影面２Ａに対
して所定の方向に傾斜しているので、各リンク部７は、投影面２Ａに沿う方向への力に対
して、突っ張ることなく所定の方向に屈曲される。つまり、スクリーンが収納される際、
第２保持部５は、それぞれのリンク部７が突っ張ることなく所定の方向に屈曲されて短縮
されるので、スクリーン本体２は、捩れたり、所定の方向と反対側に屈曲されたりするこ
とが防止され、皺や傷等が抑制される。
【００５０】
（第２実施形態）
次に、第２実施形態に係るスクリーン１について、図面を参照して説明する。
以下の説明では、第１実施形態と同様の構造および同様の部材には、同一符号を付し、
その詳細な説明は省略または簡略化する。
本実施形態のスクリーン１は、第１実施形態のリンク部７と形状の異なるリンク部１７
を備えている。
【００５１】
図１０は、第２実施形態のスクリーン１を模式的に示す図であり、スクリーン１を背面
側から見た斜視図である。
図１０に示すように、リンク部１７は、第１実施形態のリンク部７と比較して、延出す
る長さの異なる接合部１７１を有し、対向するリンク部１７同士は、この接合部１７１と
共に一体的に形成されている。
具体的に、接合部１７１は、上保持部３および下保持部４に対して略平行に設けられ、
一方のリンク部１７の側面から、対向して配置される他方のリンク部１７の側面まで延出
している。そして、対向するリンク部１７同士は、一体的に形成されている。つまり、接
合部１７１は、第２保持部５Ｌと第２保持部５Ｒとの間に架設される架設部としての機能
を有している。
【００５２】
そして、接合部１７１は、第１実施形態の接合部７１１と同様に、展張状態における投
影面２Ａに沿うように形成された接合面を有し、スクリーン本体２は、図１０に示すよう
に左右両側端部の背面がこの接合面に粘着材１０を介して接合されている。なお、粘着材
１０は、接合面の両側端部等の一部に設けられ、粘着材によるスクリーン本体の皺等の発
生が抑制されている。
【００５３】
以上説明したように、本実施形態のスクリーン１によれば、第１実施形態の効果に加え
て、以下の効果を得ることができる。
（１）第２保持部５Ｌと第２保持部５Ｒとの間に架設される接合部１７１を有している
ので、第２保持部５Ｌおよび第２保持部５Ｒは、互いに近接する方向に傾斜することが抑
制され、さらにスクリーン本体２の平面度を高めることが可能となる。
【００５４】
（２）接合部１７１は、リンク部１７に形成されているので、他の部材で構成する場合
に比べて、第２保持部５Ｌと第２保持部５Ｒとの間の距離の精度を高めることができる。
これによって、スクリーン本体の平面度の向上がさらに図れる。また、部品点数を増やす
ことなく第２保持部５Ｌと第２保持部５Ｒとの距離を適正に維持することができる。
【００５５】
（第３実施形態）
次に、第３実施形態に係るスクリーンについて、図面を参照して説明する。
以下の説明では、第１実施形態と同様の構造および同様の部材には同一符号を付して、
その詳細な説明は、省略または簡略化する。
本実施形態のスクリーン１は、第１実施形態の第２保持部５と構成の異なる第２保持部
１５を備えている。
【００５６】
図１１は、第３実施形態の展張状態におけるスクリーン１を模式的に示す図であり、（
ａ）は、スクリーン支持部６を省略したスクリーン１を背面側から見た斜視図、（ｂ）は
、（ａ）におけるスクリーン１を左側から見た側面図である。
第２保持部１５は、第１実施形態の第２保持部５と同様に、左右対称に一対設けられて
おり、スクリーン本体２の左端部に沿い、上保持部３および下保持部４の左側縁端部に連
結される第２保持部１５Ｌと、スクリーン本体２の右端部に沿い、上保持部３および下保
持部４の右側縁端部に連結される図示しない第２保持部とを有している。
【００５７】
第２保持部１５Ｌは、図１１（ａ）、（ｂ）に示すように、複数のリンク部２７がスク
リーン本体２の左の端部に沿って連結された第１連鎖部１５１Ｌ（図１１（ｂ）において
斜線で示す）と、第２連鎖部１５２Ｌと有している。第１連鎖部１５１Ｌおよび第２連鎖
部１５２Ｌは、それぞれ第１実施形態と同様に、関節部２８を中心に回転可能に連結され
ている。第１連鎖部１５１Ｌと第２連鎖部１５２Ｌとは、左右方向において重なるように
配置され、それぞれのリンク部２７の中央部で関節部２９を中心に回転可能に連結されて
パンタグラフ状に構成されている。
そして、第２保持部１５は、それぞれのリンク部２７が関節部２８，２９を中心に回転
することでリンク部が屈伸して伸縮する。
【００５８】
第２連鎖部１５２Ｌには、図示しない接続部が設けられており、スクリーン本体の左端
部は、この接続部に保持されている。
また、一対の第２保持部１５の互いに対向するリンク部２７の間には、図１１（ａ）に
示すように、架設部としての柱状部材９が設けられている。
そして、スクリーン１は、第１実施形態と同様に、スクリーン支持部６よって、第２保
持部１５が伸縮され、展張状態と収納状態とが切り換えられる。
【００５９】
図１２は、第３実施形態の収納状態におけるスクリーン１を模式的に示す図であり、（
ａ）は、スクリーン支持部６を省略したスクリーン１を背面側から見た斜視図、（ｂ）は
、（ａ）におけるスクリーン１を左側から見た側面図である。
第２保持部１５Ｌは、図１２（ａ）、（ｂ）に示すように、第２保持部１５が短縮され
、それぞれのリンク部２７が互いに当接した収納状態となり、図示しないスクリーン本体
２は、第１実施形態と同様に蛇腹状に折り畳まれる。
【００６０】
以上説明したように、本実施形態のスクリーン１によれば、第１実施形態および第２実
施形態の効果に加えて、以下の効果を得ることができる。
第２保持部１５は、パンタグラフ状に構成されているので、それぞれのリンク部２７に
効率良く力が伝達され、滑らかな伸縮が可能となる。これによって、スクリーン１は、さ
らにスクリーン本体２への傷や皺等を抑制して展張状態と収納状態との切り換えが可能と
なる。
【００６１】
（変形例）
なお、前記実施形態は、以下のように変更してもよい。
前記実施形態のスクリーン１は、収納状態において、各構成部材が露出するように構成
されているが、これらの構成部材の上方および側方を覆う開閉可能な筐体を追加し、スク
リーン本体２が展張される際には、この筐体が開けられてスクリーン本体２が引き出され
るように構成してもよい。
【００６２】
前記実施形態のスクリーン１は、床等の設置面ＴＢに載置されるように構成されている
が、下保持部４を天井や壁等に設置し、上保持部３を天井や壁等から離間して設置する態
様も適用できる。
【００６３】
前記実施形態のスクリーン支持部６は、ロッド機構で構成されているが、この機構に限
らず、多数の枠部材が屈伸可能に連結されたパンタグラフ機構であってもよい。
図１３は、このパンタグラフ機構のスクリーン支持部６０を備えたスクリーン１を背面
側から見た模式図である。スクリーン支持部６０は、図１３に示すように、下端部が下保
持部４に形成された図示しないレールに枢支され、上端部が上保持部３に形成された図示
しないレールに枢支されている。
スクリーン支持部６０は、上下方向の力が加えられることによって、上端部および下端
部が上保持部３および下保持部４のそれぞれのレールに沿って左右方向に移動し、上下方
向に伸縮される。
【００６４】
また、スクリーン支持部として、簡略的な支持部材を用いて展張状態と収納状態とを切
り換える構成も可能である。
図１４は、簡略的な支持部材を有するスクリーン支持部６００を備えたスクリーン１を
背面側から見た模式図である。図１４に示すように、スクリーン支持部６００は、一対の
棒状部材で構成され、それぞれの一方の端部が下保持部４の両端近傍に枢支されている。
そして、展張状態の際には、一対のスクリーン支持部６００は、他方の端部がそれぞれ上
保持部３の両端近傍を支持するように起立され、収納状態の際には、一対のスクリーン支
持部６００は、横倒される。
【００６５】
前記実施形態のリンク部７は、アルミニウム等の金属で形成してもよい。また、リンク
部７を絞り加工等によって関節部８を形成してもよい。
【００６６】
前記実施形態の架設部は、関節部８で構成してもよい。
【図面の簡単な説明】
【００６７】
【図１】第１実施形態のスクリーンを投影面側から見た斜視図。
【図２】図１に示すスクリーンを投影面の反対側から見た斜視図。
【図３】第１実施形態のスクリーンを示す横断面図。
【図４】第１実施形態のスクリーンの左側上部を模式的に示す図。
【図５】第１実施形態のスクリーンの左側下部を模式的に示す図。
【図６】第１実施形態の第２保持部を模式的に示す図。
【図７】第１実施形態のリンク部を模式的に示す斜視図。
【図８】第１実施形態のリンク部および関節部を模式的に示す断面図。
【図９】第１実施形態の第２保持部の動作を説明するための模式図。
【図１０】第２実施形態のスクリーンを模式的に示す図。
【図１１】第３実施形態の展張状態におけるスクリーンを模式的に示す図であり、（ａ）は、背面側から見た斜視図、（ｂ）は、側面図。
【図１２】第３実施形態の収納状態におけるスクリーンを模式的に示す図であり、（ａ）は、背面側から見た斜視図、（ｂ）は、側面図。
【図１３】変形例のスクリーンを背面側から見た模式図。
【図１４】変形例のスクリーンを背面側から見た模式図。
【符号の説明】
【００６８】
１…スクリーン、２…スクリーン本体、２Ａ…投影面、３…上保持部、４…下保持部、
５，５Ｌ，５Ｒ，１５，１５Ｌ，…第２保持部、６，６０，６００…スクリーン支持部、
７，１７，２７…リンク部、８，８Ａ，８Ｂ，８Ｃ，２８，２９…関節部、９…柱状部材
、１５１Ｌ…第１連鎖部、１５２Ｌ…第２連鎖部、１７１，７１１…接合部、７１１Ａ…
接合面、７１２，７１３…当接部。
【図１】
2010139680.tif 000003
【図２】
2010139680.tif 000004
【図３】
2010139680.tif 000005
【図４】
2010139680.tif 000006
【図５】
2010139680.tif 000007
【図６】
2010139680.tif 000008
【図７】
2010139680.tif 000009
【図８】
2010139680.tif 000010
【図９】
2010139680.tif 000011
【図１０】
2010139680.tif 000012
【図１１】
2010139680.tif 000013
【図１２】
2010139680.tif 000014
【図１３】
2010139680.tif 000015
【図１４】
2010139680.tif 000016